(57)【要約】  【課題】  過去の走行実績に基づいて、将来の走行状態を精度良く予測することができる走行状態予測装置を提供する。  【解決手段】  走行状態予測装置２０は、プローブカーに搭載されたデータ収集装置１０から、プローブカーが道路リンクを通過したときの車両の走行状態データを受信するプローブデータ受信部２１と、複数の道路リンクのそれぞれについて走行状態データを記憶する走行状態ＤＢ２６と、ユーザ車両に搭載された運転支援装置３０から、走行予定の道路リンクを特定するデータを含む走行状態予測要求を受信する要求データ受信部２２と、走行状態ＤＢ２６から、走行予定の道路リンクの走行状態データを読み出す走行状態データ読出部２５と、走行状態データを運転支援装置３０に送信する走行状態データ送信部２３とを備えた構成を有する。【選択図】  図１
2014130439.tif 000002
【特許請求の範囲】
【請求項１】
プローブカーに搭載されたデータ収集装置から、プローブカーが道路リンクを通過したときの走行状態データを受信するプローブデータ受信部と、
複数の道路リンクのそれぞれについて前記走行状態データを記憶する走行状態データベースと、
ユーザ車両に搭載された装置から、走行予定の道路リンクを特定するデータを含む走行状態予測要求を受信する要求データ受信部と、
前記走行状態データベースから、前記走行予定の道路リンクの走行状態データを読み出す走行状態データ読出部と、
前記走行状態データをユーザ車両に搭載された装置に送信する走行状態データ送信部と、
を備えた走行状態予測装置。
【請求項２】
前記走行状態データは、前記道路リンク内での車両の走行速度変化を示すデータである請求項１に記載の走行状態予測装置。
【請求項３】
前記プローブデータ受信部は、前記走行状態データと共に、その道路リンクを通過した後の進行方向のデータを受信し、
前記走行状態データベースは、前記進行方向別に前記走行状態データを記憶し、
前記要求データ受信部が受信する走行状態予測要求には、走行予定の道路リンクおよび当該道路リンクを通過した後の進行方向を特定するデータが含まれており、
前記走行状態データ読出部は、前記走行状態データベースから、前記走行予定の道路リンクおよび当該道路リンクを通過した後の進行方向を特定するデータに対応する走行状態データを読み出す請求項１または２に記載の走行状態予測装置。
【請求項４】
前記プローブデータ受信部は、前記走行状態データと共に、その道路リンクを通過したときの時間帯、曜日または季節を特定するデータを受信し、
前記走行状態データベースは、前記時間帯、曜日または季節の別に走行状態データを記憶し、
前記走行状態データ読出部は、前記走行状態データベースから、前記走行予定の道路リンクおよび前記走行状態予測要求を受信した時間帯、曜日または季節に対応する走行状態データを読み出す請求項１乃至３のいずれかに記載の走行状態予測装置。
【請求項５】
前記プローブデータ受信部は、前記走行状態データと共に、その道路リンクを通過したときの天候、気温または湿度のデータを受信し、
前記走行状態データベースは、前記天候、気温または湿度の別に前記走行状態データを記憶し、
前記要求データ受信部が受信する走行状態予測要求には、走行予定の道路リンクおよび天候、気温または湿度のデータが含まれており、
前記走行状態データ読出部は、前記走行状態データベースから、前記走行予定の道路リンクおよび前記天候、気温または湿度のデータに対応する走行状態データを読み出す請求項１乃至４のいずれかに記載の走行状態予測装置。
【請求項６】
前記プローブデータ受信部は、前記走行状態データと共に、車両の車種、重量または大きさのデータを受信し、
前記走行状態データベースは、前記車種、重量または大きさの別に前記走行状態データを記憶し、
前記要求データ受信部が受信する走行状態予測要求には、走行予定の道路リンクおよび車種、重量または大きさのデータが含まれており、
前記走行状態データ読出部は、前記走行状態データベースから、前記走行予定の道路リンクおよび前記車種、重量または大きさのデータに対応する走行状態データを読み出す請求項１乃至５のいずれかに記載の走行状態予測装置。
【請求項７】
前記道路リンク毎に走行状態データをクラスタリングし、同一のクラスタに含まれる走行状態データの代表データを求める走行状態データ解析部を備え、
前記走行状態データベースは、前記走行状態データの代表データを記憶し、
前記要求データ受信部にて受信する走行状態予測要求には、前記ユーザ車両の現在の走行状態のデータが含まれており、
前記走行状態データ読出部は、前記走行状態データベースから前記走行予定の道路リンクおよび現在の走行状態に対応する走行状態データの代表データを読み出す請求項１に記載の走行状態予測装置。
【請求項８】
請求項１乃至７のいずれかに記載の走行状態予測装置と、
前記走行状態予測装置から受信した走行状態データに応じて、車両の運転に関するアドバイスを出力する運転支援装置と、
を備える運転支援システム。
【請求項９】
プローブカーから収集したデータに基づいて道路リンクにおける車両の走行状態を予測する方法であって、
走行状態予測装置が、プローブカーに搭載されたデータ収集装置から、プローブカーが道路リンクを通過したときの走行状態データを受信するステップと、
前記走行状態予測装置が、複数の道路リンクのそれぞれについて前記走行状態データを走行状態データベースに記憶するステップと、
前記走行状態予測装置が、ユーザ車両に搭載された装置から、走行予定の道路リンクを特定するデータを含む走行状態予測要求を受信するステップと、
前記走行状態予測装置が、前記走行状態データベースから、前記走行予定の道路リンクの走行状態データを読み出すステップと、
前記走行状態予測装置が、前記走行状態データをユーザ車両に搭載された装置に送信するステップと、
を備えた走行状態予測方法。
【請求項１０】
プローブカーから収集したデータに基づいて車両の走行状態を予測するためのプログラムであって、コンピュータに、
プローブカーに搭載されたデータ収集装置から、プローブカーが道路リンクを通過したときの走行状態データを受信するステップと、
複数の道路リンクのそれぞれについて前記走行状態データを走行状態データベースに記憶するステップと、
ユーザ車両に搭載された装置から、走行予定の道路リンクを特定するデータを含む走行状態予測要求を受信するステップと、
前記走行状態データベースから、前記走行予定の道路リンクの走行状態データを読み出すステップと、
前記走行状態データをユーザ車両に搭載された装置に送信するステップと、
を実行させるプログラム。
【発明の詳細な説明】
【技術分野】
【０００１】
本発明は、道路を走行する車両の走行状態を予測する技術に関する。
【背景技術】
【０００２】
従来から、道路に配置された車両感知器や、路上ビーコンの検出情報や、ナビゲーション装置によって検出した位置情報等に基づいて、各車両が道路リンクを走行する走行時間（旅行時間）を収集し、平均値を算出することによって当該道路リンクの旅行時間を推定する装置が知られていた。
【０００３】
特許文献１に記載された発明は、道路上を走行する車両の移動時間を精度良く予測することを課題とし、多数の車両から収集した移動時間の情報に対して、条件毎に異なる統計処理を行い、個々の車両に応じた詳細な予測を行うものである。
【０００４】
特許文献２に記載された発明は、運転者の運転特性を考慮して目的地までの経路探索を行うナビゲーション装置を提供することを課題とし、各道路リンクの交通情報を所定の車速域毎に分類して、自車両の平均車速に対応する交通情報に基づいて経路探索を行うものである。
【０００５】
特許文献３に記載された発明は、蓄積された旅行時間情報をもとに旅行時間を高い精度で予測することを課題とし、旅行時間に含まれる高周波の雑音成分を除去することを特徴とするものである。
【先行技術文献】
【特許文献】
【０００６】
【特許文献１】特開２０００−２５９９７７号
【特許文献２】特開２００９−２２２５１９号
【特許文献３】特開２００４−１７８５１８号
【発明の概要】
【発明が解決しようとする課題】
【０００７】
上記した特許文献１〜３に見られるように、従来は、道路リンクを通過するのに要する時間に着目した様々な手法が提案されていたが、道路リンクを走行する際の走行状態に着目したものは存在しなかった。
【０００８】
ところで、本出願人は、予測される将来の走行状態に基づいて車両の運転に関するアドバイスを出力する発明を出願した（特願２０１２−０７６４３１）。この出願においては、将来の走行状態を、現在の走行状態と経路情報とに基づいて予測している。例えば、このようなアプリケーションにおいて、過去の走行履歴に基づいて将来の走行状態を精度良く予測することができれば、ドライバに適切なアドバイスを与えることが可能となる。
【０００９】
そこで、本発明は、過去の走行実績に基づいて、将来の走行状態を精度良く予測することができる走行状態予測装置を提供することを目的とする。
【課題を解決するための手段】
【００１０】
本発明の走行状態予測装置は、プローブカーに搭載されたデータ収集装置から、プローブカーが道路リンクを通過したときの車両の走行状態データを受信するプローブデータ受信部と、複数の道路リンクのそれぞれについて前記走行状態データを記憶する走行状態データベースと、ユーザ車両に搭載された装置から、走行予定の道路リンクを特定するデータを含む走行状態予測要求を受信する要求データ受信部と、前記走行状態データベースから、前記走行予定の道路リンクの走行状態データを読み出す走行状態データ読出部と、前記走行状態データをユーザ車両に搭載された装置に送信する走行状態データ送信部とを備えた構成を有する。前記走行状態データは、前記道路リンク内での走行速度変化を示すデータであってもよい。
【００１１】
このようにプローブカーにて収集した実際の走行状態データを利用することで、走行予定の道路リンクの走行状態を適切に予測することが可能となる。走行状態データとは、例えば、車両の速度の変化を示すデータであり、車両の停止、発進、定常走行、加速、減速などを示すデータである。データの形式としては、道路リンク内の位置と速度の関係を示すデータであってもよいし、リンク内で定常走行、加速、減速を行った回数や割合を示すデータでもよい。
【００１２】
本発明の走行状態予測装置において、前記プローブデータ受信部は、前記走行状態データと共に、その道路リンクを通過した後の進行方向のデータを受信し、前記走行状態データベースは、前記進行方向別に走行状態データを記憶し、前記要求データ受信部が受信する走行状態予測要求には、走行予定の道路リンクおよび当該道路リンクを通過した後の進行方向を特定するデータが含まれており、前記走行状態データ読出部は、前記走行状態データベースから、前記走行予定の道路リンクおよび当該道路リンクを通過した後の進行方向を特定するデータに対応する走行状態データを読み出してもよい。
【００１３】
本発明者らは、道路リンク内での走行状態は、その道路リンクを通過した後に車両が進行する方向によって異なることを見出した。例えば、道路リンクを通過した後に直進する場合には、道路リンクの終端部分についても定常走行で通過するが、道路リンクを通過した後に右折する場合には、道路リンクの終端部分でいったん減速する傾向がある。本発明では、車両の進行方向別に走行状態データを記憶し、進行方向に応じた走行状態の予測を行うことで、予測の精度を高めることができる。
【００１４】
本発明の走行状態予測装置において、前記プローブデータ受信部は、前記走行状態データと共に、その道路リンクを通過したときの時間帯、曜日または季節を特定するデータを受信し、前記走行状態データベースは、前記時間帯、曜日または季節の別に走行状態データを記憶し、前記走行状態データ読出部は、前記走行状態データベースから、前記走行予定の道路リンクおよび前記走行状態予測要求を受信した時間帯、曜日または季節に対応する走行状態データを読み出してもよい。
【００１５】
時間帯、曜日または季節によって道路リンクの混雑度合いが異なったり、また時間帯によって見通しの良さが異なったりして、走行状態が変化することが考えられるので、時間帯、曜日または季節の別に記憶された走行状態データを用いることにより、走行状態の予測の精度を高めることができる。
【００１６】
本発明の走行状態予測装置において、前記プローブデータ受信部は、前記走行状態データと共に、その道路リンクを通過したときの天候、気温または湿度のデータを受信し、前記走行状態データベースは、前記天候、気温または湿度の別に走行状態データを記憶し、前記要求データ受信部が受信する走行状態予測要求には、走行予定の道路リンクおよび天候、気温または湿度のデータが含まれており、前記走行状態データ読出部は、前記走行状態データベースから、前記走行予定の道路リンクおよび前記天候、気温または湿度のデータに対応する走行状態データを読み出してもよい。
【００１７】
天候または気温によって道路リンクの混雑度合いが異なったり、天候、気温または湿度によって見通しの良さなどが異なったりして、走行状態が変化することが考えられるので、天候、気温または湿度の別に記憶された走行状態データを用いることにより、走行状態の予測の精度を高めることができる。
【００１８】
本発明の走行状態予測装置において、前記プローブデータ受信部は、前記走行状態データと共に、車両の車種、重量または大きさのデータを受信し、前記走行状態データベースは、前記車種、重量または大きさの別に走行状態データを記憶し、前記要求データ受信部が受信する走行状態予測要求には、走行予定の道路リンクおよび車種、重量または大きさのデータが含まれており、前記走行状態データ読出部は、前記走行状態データベースから、前記走行予定の道路リンクおよび前記車種、重量または大きさのデータに対応する走行状態データを読み出してもよい。
【００１９】
車両の車種、重量、大きさによって走行状態が変化することが考えられるので、車種、重量または大きさの別に記憶された走行状態データを用いることにより、走行状態の予測の精度を高めることができる。なお、車両の大きさは、車両の縦、横、高さのそれぞれの長さで表される。
【００２０】
本発明の走行状態予測装置は、前記道路リンク毎に走行状態データをクラスタリングし、同一のクラスタに含まれる走行状態データの代表データを求める走行状態データ解析部を備え、前記走行状態データベースは、前記走行状態データの代表データを記憶し、前記要求データ受信部にて受信する走行状態予測要求には、前記ユーザ車両の現在の走行状態のデータが含まれており、前記走行状態データ読出部は、前記走行状態データベースから前記走行予定の道路リンクおよび現在の走行状態に対応する走行状態データの代表データを読み出してもよい。
【００２１】
同じ道路リンクであっても、例えば、渋滞している場合、渋滞とまではいえないが混雑している場合、あるいは順調に流れている場合では、車両の走行状態が異なる。本発明の構成によれば、走行状態データをクラスタリングして同じ傾向を有するグループに分類し、各グループを代表するデータを用いることで、現在の走行状態と同様の傾向を有する走行状態データによって予測を行うことができ、予測精度を高めることができる。代表データは、同じクラスタに含まれる走行状態データの平均でもよいし、中央値や最頻値でもよい。
【００２２】
本発明の運転支援システムは、上記の走行状態予測装置と、前記走行状態予測装置から受信した走行状態データに応じて、車両の運転に関するアドバイスを出力する運転支援装置とを備える。
【００２３】
このように上記した走行状態予測装置を用いて求めた精度の高い走行状態データを用いることにより、適切なアドバイスを出力することができる。
【００２４】
本発明の走行状態予測方法は、プローブカーから収集したデータに基づいて道路リンクにおける車両の走行状態を予測する方法であって、走行状態予測装置が、プローブカーに搭載されたデータ収集装置から、プローブカーが道路リンクを通過したときの走行状態データを受信するステップと、前記走行状態予測装置が、複数の道路リンクのそれぞれについて前記走行状態データを走行状態データベースに記憶するステップと、前記走行状態予測装置が、ユーザ車両に搭載された装置から、走行予定の道路リンクを特定するデータを含む走行状態予測要求を受信するステップと、前記走行状態予測装置が、前記走行状態データベースから、前記走行予定の道路リンクの走行状態データを読み出すステップと、前記走行状態予測装置が、前記走行状態データをユーザ車両に搭載された装置に送信するステップとを備えた構成を有する。
【００２５】
このようにプローブカーにて収集した実際の走行状態データを利用することで、走行予定の道路リンクの走行状態を適切に予測することが可能となる。なお、本発明の走行状態予測方法に、上述した走行状態予測装置の各種の構成を適用することも可能である。
【００２６】
本発明のプログラムは、プローブカーから収集したデータに基づいて車両の走行状態を予測するためのプログラムであって、コンピュータに、プローブカーに搭載されたデータ収集装置から、プローブカーが道路リンクを通過したときの走行状態データを受信するステップと、複数の道路リンクのそれぞれについて前記走行状態データを走行状態データベースに記憶するステップと、ユーザ車両に搭載された装置から、走行予定の道路リンクを特定するデータを含む走行状態予測要求を受信するステップと、前記走行状態データベースから、前記走行予定の道路リンクの走行状態データを読み出すステップと、前記走行状態データをユーザ車両に搭載された装置に送信するステップとを実行させる。
【００２７】
このようにプローブカーにて収集した実際の走行状態データを利用することで、走行予定の道路リンクの走行状態を適切に予測することが可能となる。なお、本発明のプログラムに、上述した走行状態予測装置の各種の構成を適用することも可能である。
【発明の効果】
【００２８】
本発明は、プローブカーにて収集した実際の走行状態データを利用することで、走行予定の道路リンクの走行状態を適切に予測することができるという効果を有する。
【図面の簡単な説明】
【００２９】
【図１】第１の実施の形態の運転支援システムの構成を示す図である。
【図２】第１の実施の形態の走行状態ＤＢに記憶されたデータの例を示す図である。
【図３】走行状態予測装置のハードウェア構成を示す図である。
【図４】第１の実施の形態の運転支援システムによって走行状態データを収集する動作を示すフローチャートである。
【図５】第１の実施の形態の運転支援システムによって走行状態を予測する動作を示すフローチャートである。
【図６】経路データと現在位置のデータの例を示す図である。
【図７】第２の実施の形態の走行状態ＤＢに記憶された走行状態データの例を示す図である。
【図８】第３の実施の形態の走行状態ＤＢに記憶された走行状態データの例を示す図である。
【図９】第４の実施の形態の走行状態ＤＢに記憶された走行状態データの例を示す図である。
【図１０】第５の実施の形態の運転支援システムの構成を示す図である。
【図１１】第５の実施の形態の走行状態ＤＢに記憶されたデータの例を示す図である。
【図１２】第１の実施の形態の運転支援システムによって走行状態データを収集する動作を示すフローチャートである。
【図１３】第１の実施の形態の運転支援システムによって走行状態を予測する動作を示すフローチャートである。
【発明を実施するための形態】
【００３０】
以下、本発明の実施の形態に係る走行状態予測装置を用いた運転支援システムについて図面を参照しながら説明する。本実施の形態の走行状態予測装置は、走行状態として道路リンクにおける車両の走行速度の変化を予測する。運転支援システムは、予測された走行状態に基づいて、燃費が良くなるアドバイスを行う。例えば、走行状態として発進、停止が多いと予測された場合には、アクセルの踏み込み方に注意を促す等のアドバイスを出力する。
【００３１】
（第１の実施の形態）
［運転支援システムの構成］
図１は、第１の実施の形態の運転支援システム１の構成を示す図である。運転支援システム１は、データ収集装置１０と、走行状態予測装置２０と、運転支援装置３０とを有している。走行状態予測装置２０と、データ収集装置１０および運転支援装置３０とは、ネットワークによって接続されており、データの送受信が可能な構成とされている。
【００３２】
データ収集装置１０は、いわゆるプローブカーに搭載され、プローブカーの走行に応じて走行状態データを取得する。走行状態予測装置２０は、複数のプローブカーに搭載されたデータ収集装置１０から走行状態データを収集し、走行状態データを用いて将来の走行状態を予測する。運転支援装置３０は、運転支援を受けるユーザの車両（ユーザ車両）に搭載され、走行状態予測装置２０にて予測された走行状態データに基づいてアドバイスを出力する。なお、運転支援装置３０は、データ収集装置１０が搭載されたプローブカーに搭載してもよい。つまり、ユーザ車両がプロープカーを兼ねてもよい。次に、各装置の構成について説明する。
【００３３】
データ収集装置１０は、車両センサ１７から車両センサ情報を取得する車両センサ情報取得部１１と、車両センサ情報取得部１１にて取得した車両センサ情報に基づいて走行状態を算出する走行状態データ算出部１２と、走行状態データ等を記憶する記憶部１６と、図示しないＧＰＳ受信機で取得したＧＰＳ情報や上述した車両センサ情報に基づいて車両の現在位置を検出する現在位置検出部１３と、走行状態予測装置２０との通信を行う通信部１４と、地図データを記憶した地図データベース（以下、「地図ＤＢ」という）１５とを有している。
【００３４】
走行状態データ算出部１２は、車両センサ情報に基づいて車両の走行速度を検知すると共に、走行速度のデータに基づいて道路リンク内における車両の現在位置を計算する。本実施の形態では、道路リンク内における車両の位置とその位置における車両の速度データとを関連付けた車速の変位を示すデータを「走行状態データ」として用いる。
【００３５】
また、走行状態データ算出部１２は、現在位置検出部１３によって取得した現在位置のデータと地図ＤＢ１５とを照合して現在走行中の道路リンクを特定する。さらに、走行状態データ算出部１２は、車両センサ情報または現在位置検出部１３で検出した現在位置のデータに基づいて、特定された道路リンクを通過した後に車両が進行した方向を求める。例えば、特定された道路リンクの終端部が交差点の場合、当該道路リンクを通過した後、直進して次の道路リンクに進入したのか、左折または右折して次の道路リンクに進入したのかを求める。そして、走行状態データ算出部１２は、特定された道路リンクのＩＤと、進行方向のデータと、走行状態データとを関連付けて記憶部１６に記憶する。
【００３６】
データ収集装置１０は、記憶部１６に記憶した走行状態データを走行状態予測装置２０に送信する。走行状態データの送信は定期的に行ってもよいし、ある程度のデータ量が記憶された時点で行ってもよい。
【００３７】
次に、走行状態予測装置２０の構成について説明する。走行状態予測装置２０は、データ収集装置１０から送信される走行状態データを受信するプローブデータ受信部２１と、受信した走行状態データを記憶する走行状態データベース（以下、「走行状態ＤＢ」という）２６と、プローブデータ受信部２１にて受信した走行状態データにて走行状態ＤＢ２６を更新する走行状態データ更新部２４とを有している。
【００３８】
図２は、走行状態ＤＢ２６に記憶されたデータの例を示す図である。図２では、ある一つの道路リンクの走行状態データの例を示しているが、走行状態ＤＢ２６には、地図データを構成する複数の道路リンクについて、図２のような走行状態データが記憶されている。
【００３９】
走行状態データは、その道路リンクを通過した後の進行方向毎に記憶されている。図２に示す例では、道路リンクを通過した後に直進した場合の走行状態データ、左折した場合の走行状態データ、右折した場合の走行状態データを有している。図２に示す例では、道路リンクの終端部が交差点（四差路）になっているので、直進、右折、左折の３つの場合があるが、三差路であれば２種類、５差路であれば４種類の走行状態データを有することになる。
【００４０】
図２において、進行方向別の走行状態データは、各進行方向に進行した走行状態データの平均を表しているからである。例えば、走行状態予測装置２０は、ある道路リンクを直進して通過した場合の走行状態データを複数のデータ収集装置１０から受信し、走行状態データ更新部２４は、受信した走行状態データの平均をとって、走行状態データを生成している。走行状態ＤＢ２６には、走行速度の変位のデータを、道路リンク内での位置に関連付けて記憶している。
【００４１】
図１に戻って、走行状態予測装置２０の構成について説明する。走行状態予測装置２０は、走行状態予測の要求を運転支援装置３０から受信する要求データ受信部２２と、当該要求を受信したときに走行状態ＤＢ２６から走行状態データを読み出す走行状態データ読出部２５と、走行状態データを要求元の運転支援装置３０に送信する走行状態データ送信部２３とを有する。
【００４２】
要求データ受信部２２が受信する走行状態予測の要求データには、走行状態の予測を求める道路リンクを特定するデータと、当該道路リンクを通過した後の進行方向を特定するデータとを含んでいる。道路リンクを特定するデータ及び進行方向を特定するデータは、ナビゲーション装置３８にて設定された経路のデータであってもよい。経路のデータに基づいて、車両が進入する道路リンク（走行状態の予測対象となる道路リンク）と、その道路リンクを通過してどの方向に進行するかを特定することができる。
【００４３】
走行状態データ読出部２５は、走行状態予測の要求に含まれる道路リンクの特定データ及び進行方向の特定データに対応する走行状態データを走行状態ＤＢ２６から読み出し、走行状態データ送信部２３に渡す。走行状態データ送信部２３は、走行状態データを運転支援装置３０に送信する。
【００４４】
次に、運転支援装置３０の構成について説明する。運転支援装置３０は、走行状態予測装置２０と通信を行うための通信部３１と、地図データを記憶した地図ＤＢ３７と、ナビゲーション装置３８で設定された経路のデータを記憶した経路データ記憶部３６と、所定の道路リンクの走行状態の予測を要求する走行状態予測要求部３２と、図示しないＧＰＳ受信機で取得したＧＰＳ情報に基づいて車両の現在位置を検出する現在位置検出部３３と、走行状態予測装置２０から送信された走行状態データに基づいて運転のアドバイスを生成するアドバイス生成部３４と、生成したアドバイスを出力するアドバイス出力部３５とを有している。
【００４５】
図３は、本実施の形態の走行状態予測装置２０のハードウェア構成を示す図である。走行状態予測装置２０は、ＣＰＵ５０と、メモリ５１と、ＲＯＭ５２と、外部記憶装置５４と、キーパッド５５と、タッチパネル５６と、通信部５７とがバス５８によって接続されて構成されている。ＲＯＭ５２には、上述した走行状態予測装置２０の機能を実現するためのプログラム５３が格納されている。このようなプログラム５３も本発明の範囲に含まれる。外部記憶装置５４は、走行状態ＤＢ２６および地図ＤＢ２７を構成する。通信部５７は、データ収集装置１０、運転支援装置３０と通信を行うためのインターフェースを提供している。
【００４６】
［運転支援システムの動作］
次に、運転支援システム１の動作について説明する。以下では、運転支援システム１が走行状態を予測するために用いる走行状態データを収集する動作と、走行状態予測の要求を受けて走行状態を予測する動作に分けて説明する。
【００４７】
図４は、走行状態予測装置２０がデータ収集装置１０から走行状態データを収集する動作を示すフローチャートである。プローブカーに搭載されたデータ収集装置１０は、プローブカーの現在位置及び速度のデータを取得する（Ｓ１０）。データ収集装置１０は、プローブカーが道路リンクを通過したか否かを判定し（Ｓ１２）、道路リンクを通過したと判定した場合に（Ｓ１２でＹＥＳ）、当該道路リンクを走行したときの走行状態データを生成し、生成された走行状態データを、道路リンクのＩＤ及び道路リンクを通過した後の進行方向に関連付けて記憶部１６に記憶する（Ｓ１４）。なお、道路リンクを通過していないと判定された場合（Ｓ１２でＮＯ）、データ収集装置１０は、プローブカーの現在位置及び速度のデータを取得するステップＳ１０に戻る。
【００４８】
データ収集装置１０は、送信タイミングか否かを判定する。送信タイミングは、例えば、１週間または１か月といった所定期間ごとであってもよいし、記憶部１６に所定量のデータが蓄積されたときであってもよい。送信タイミングではないと判定された場合（Ｓ１６でＮＯ）、データ収集装置１０は、プローブカーの現在位置及び速度のデータを取得するステップＳ１０に戻る。
【００４９】
データ収集装置１０は、送信タイミングであると判定された場合（Ｓ１６でＹＥＳ）、道路リンクＩＤ及び進行方向に関連付けられた走行状態データを、走行状態予測装置２０に送信する（Ｓ１８）。走行状態予測装置２０は、道路リンクＩＤ及び進行方向に関連付けられた走行状態データを受信し（Ｓ２０）、受信したデータに基づいて、進行方向別の走行状態データを更新する（Ｓ２２）。
【００５０】
図５は、走行状態予測装置２０が、運転支援装置３０から走行状態予測の要求を受けて走行状態を予測する動作を示すフローチャートである。運転支援装置３０は、現在位置を検出する（Ｓ３０）。続いて、運転支援装置３０は、走行状態予測装置２０に、走行状態の予測要求を送信する（Ｓ３２）。この走行状態の予測要求には、経路データ記憶部３６から読み出した経路データと、車両の現在位置のデータとが含まれている。
【００５１】
走行状態予測装置２０は、運転支援装置３０から送信される走行状態の予測要求を受信すると（Ｓ３４）、当該予測要求に含まれている経路データと現在位置のデータとに基づいて走行予定の道路リンクと、その道路リンクを通過した後の進行方向を特定する（Ｓ３６）。
【００５２】
図６は、経路データと現在位置のデータの例を示す図である。図６に示す例において、設定された経路は、道路リンクＬ００１〜Ｌ００２〜Ｌ２１２である。そして、車両Ｖの現在位置は、Ｌ００１の道路リンクである。このような場合、走行状態予測装置２０は、次に走行予定の道路リンクはＬ００２であり、道路リンクＬ００２を通過した後の進行方向は「右折」であると特定する。
【００５３】
走行状態予測装置２０は、走行予定の道路リンクを走行状態の予測対象の道路リンクとして、当該道路リンクＩＤとその後の進行方向に対応する走行状態データを走行状態ＤＢ２６から読み出し、読み出した走行状態データを運転支援装置３０に送信する（Ｓ３８）。運転支援装置３０は、走行状態予測装置２０から送信された走行状態データを受信し（Ｓ４０）、受信した走行状態データに基づいてアドバイスを生成して、出力する（Ｓ４２）。以上、第１の実施の形態の運転支援システム１について説明した。
【００５４】
第１の実施の形態の運転支援システム１は、プローブカーにて収集したデータに基づいて所定の道路リンクにおける走行状態を予測し、予測された走行状態に基づいて運転アドバイスを出力するので、道路リンクの幅員や種類といった画一的な情報ではなく、個々の道路リンクにおける走行状態に基づいて適切な運転アドバイスを提供できる。
【００５５】
また、走行状態予測装置２０は、道路リンクを通過した後の進行方向別に走行状態を分類し、進行方向に応じて走行状態を予測するので、走行状態の予測精度を高めることができる。例えば、道路リンクを通過した後の進行方向が右折の場合には、右折時に対向車が通過するのを待つために道路リンクの終端付近において、減速または停止する必要があるのに対し、進行方向が直進の場合には対向車の有無とはかかわりなく、次の道路リンクに進むことができる。また、進行方向が左折の場合には、歩道に近い左折レーンを走行する関係で、歩行者の飛び出しに注意したり、路肩に駐停車している車両のために徐行運転が必要になる可能性もある。本発明者らは、同じ道路リンクを走行する場合であっても、その道路リンクを通過した後の進行方向によって走行状態の傾向に違いがあることを見出した。本実施の形態の構成によれば、走行状態データを、道路リンクを通過した後の進行方向別に分類することで、上記したような傾向の相違を捉え、精度の良い予測を行うことができる（全進行方向をまとめて処理すると、走行状態データが平均化されてしまう）。
【００５６】
なお、本実施の形態において、運転支援装置３０は、予測対象となる走行予定の道路リンクのデータを、設定された経路及び現在位置のデータの形式で走行状態予測装置２０に送信する例について説明したが、運転支援装置３０の側で走行予定の道路リンクと進行方向とを求め、走行状態予測装置２０に走行予定の道路リンクのＩＤと進行方向のデータを送信することとしてもよい。
【００５７】
（第２の実施の形態）
次に、本発明の第２の実施の形態の運転支援システムについて説明する。第２の実施の形態の運転支援システムの基本的な構成は第１の実施の形態と同じであるが、第２の実施の形態では、走行状態予測装置２０に記憶された走行状態ＤＢ２６の内容が異なる。
【００５８】
図７は、第２の実施の形態の走行状態ＤＢ２６に記憶された走行状態データの例を示す図である。走行状態ＤＢ２６には、走行状態データが、その道路リンクを通過した時間帯別に記憶されている。
【００５９】
第２の実施の形態においては、データ収集装置１０は、道路リンクを通過した時間帯のデータに関連付けた走行状態データを走行状態予測装置２０に送信する。また、走行状態予測装置２０は、運転支援装置３０から走行状態の予測要求を受信すると、当該予測要求を受信したときの時間帯に応じた走行状態データを走行状態ＤＢ２６から読み出し、読み出した走行状態データを運転支援装置３０に送信する。
【００６０】
第２の実施の形態の運転支援システムは、第１の実施の形態と同様に、個々の道路リンクにおける走行状態に基づいて適切な運転アドバイスを提供できる。
【００６１】
また、第２の実施の形態では、走行状態予測装置２０は、時間帯別に走行状態を分類し、時間帯に応じて走行状態を予測するので、走行状態の予測精度を高めることができる。同じ道路リンクを走行する場合であっても、時間帯によって混雑度合が違っていたり、見通しの良さが異なったりするが、走行状態を時間帯別に分類することでこれらの相違を捉えて、予測精度を高めることができる。
【００６２】
なお、本実施の形態では、時間帯のデータを用いる例について説明したが、時間帯に代えて、または時間帯に加えて、曜日や季節のデータを用いて、走行状態データを分類してもよい。また、第２の実施の形態の構成に第１の実施の形態の構成を加えて、進行方向と時間帯の両方を使って走行状態データを分類してもよい。
【００６３】
（第３の実施の形態）
次に、本発明の第３の実施の形態の運転支援システムについて説明する。第３の実施の形態の運転支援システムの基本的な構成は第１の実施の形態と同じであるが、第３の実施の形態では、走行状態予測装置２０に記憶された走行状態ＤＢ２６の内容が異なる。
【００６４】
図８は、第３の実施の形態の走行状態ＤＢ２６に記憶された走行状態データの例を示す図である。走行状態ＤＢ２６には、走行状態データが、その道路リンクを通過した天候別に記憶されている。
【００６５】
第３の実施の形態においては、データ収集装置１０は、道路リンクを通過した天候のデータに関連付けた走行状態データを走行状態予測装置２０に送信する。また、走行状態予測装置２０は、運転支援装置３０から、天候データを含む走行状態の予測要求を受信する。走行状態予測装置２０は、受信した天候データに応じた走行状態データを走行状態ＤＢ２６から読み出し、読み出した走行状態データを運転支援装置３０に送信する。
【００６６】
第３の実施の形態の運転支援システムは、第１の実施の形態と同様に、個々の道路リンクにおける走行状態に基づいて適切な運転アドバイスを提供できる。
【００６７】
また、第３の実施の形態では、走行状態予測装置２０は、天候別に走行状態を分類し、天候に応じて走行状態を予測するので、走行状態の予測精度を高めることができる。同じ道路リンクを走行する場合であっても、天候によって見通しの良さが異なったり、道路のすべりやすさが異なったりするが、走行状態を天候別に分類することでこれらの相違を捉えて、予測精度を高めることができる。
【００６８】
なお、本実施の形態では、天候のデータを用いる例について説明したが、天候に代えて、または天候に加えて、気温や湿度のデータを用いて走行状態データを分類してもよい。また、第３の実施の形態の構成に第１の実施の形態、第２の実施の形態の構成を加えて、進行方向と天候、あるいは、時間帯と天候、あるいは、進行方向と時間帯と天候を使って走行状態データを分類してもよい。
【００６９】
（第４の実施の形態）
次に、本発明の第４の実施の形態の運転支援システムについて説明する。第４の実施の形態の運転支援システムの基本的な構成は第１の実施の形態と同じであるが、第４の実施の形態では、走行状態予測装置２０に記憶された走行状態ＤＢ２６の内容が異なる。
【００７０】
図９は、第４の実施の形態の走行状態ＤＢ２６に記憶された走行状態データの例を示す図である。走行状態ＤＢ２６には、走行状態データが、その道路リンクを通過した車種別に記憶されている。
【００７１】
第４の実施の形態においては、データ収集装置１０は、道路リンクを通過した車種のデータに関連付けた走行状態データを走行状態予測装置２０に送信する。また、走行状態予測装置２０は、運転支援装置３０から、車種データを含む走行状態の予測要求を受信する。走行状態予測装置２０は、受信した車種データに応じた走行状態データを走行状態ＤＢ２６から読み出し、読み出した走行状態データを運転支援装置３０に送信する。
【００７２】
第４の実施の形態の運転支援システムは、第１の実施の形態と同様に、個々の道路リンクにおける走行状態に基づいて適切な運転アドバイスを提供できる。
【００７３】
また、第４の実施の形態では、走行状態予測装置２０は、車種別に走行状態を分類し、車種に応じて走行状態を予測するので、走行状態の予測精度を高めることができる。車種によって性能が異なるので、同じ道路リンクを走行する場合であっても、走行状態に相違があるが、走行状態を車種別に分類することでこれらの相違を捉えて、予測精度を高めることができる。
【００７４】
なお、本実施の形態において、車種に代えて、または車種に加えて、重量や大きさを用いてもよい。車両の重量や大きさによっても加減速時等の走行状態の傾向が異なるためである。
【００７５】
また、第４の実施の形態の構成に第１の実施の形態〜第３の実施の形態の構成を加えてもよい。進行方向、時間帯、曜日、季節、天候、気温、湿度、車両の車種、重量または大きさのいずれの組合せで走行状態データを分類するかは、適宜決定することができる。ただし、走行状態データを細分化し過ぎると、プローブされた走行状態データ数が少なくなってしまうか、場合によってはデータがなくなってしまうグループができてしまうので、走行状態データの量に応じて組合せを決定してもよい。
【００７６】
（第５の実施の形態）
図１０は、第５の実施の形態の運転支援システム５の構成を示す図である。第５の実施の形態の運転支援システム５の基本的な構成は、第１の実施の形態と同じであるが、第５の実施の形態では、走行状態予測装置２０が走行状態データ解析部２８を有し、走行状態データをクラスタリングして複数のパターンに分類する点が異なる。
【００７７】
図１１は、走行状態ＤＢ２６に記憶されたデータの例を示す図である。図１１に示す例では、走行状態ＤＢ２６にはパターンＡ，Ｂ，Ｃの３パターンの走行状態データが記憶されている。この３つのパターンは、あらかじめ付加された進行方向、時間帯等のような関連データによって分類されたものではなく、走行状態データ解析部２８が、多数の走行状態データをクラスタリングして近いもの同士をグループ化し、グループを代表するデータを求めることで得られたものである。各グループを代表するデータは、各グループに含まれる走行状態データの平均をとることで求めることができる。なお、代表データを求める方法は他にも考えられ、例えば、道路リンク内での各位置での走行状態データの中央値や最頻値を使ってもよい。
【００７８】
走行状態データのクラスタリングの方法としては、例えば、Ｋ平均法などの公知の方法を用いることができる。なお、パターンＡ，Ｂ，Ｃの横に「（順調）」「（混雑）」「（渋滞）」と記載しているのは、パターンＡ，Ｂ，Ｃに分類された後に便宜的に付したものである。
【００７９】
運転支援装置３０は、現在の走行状態を求める構成として、車両センサ４１から車両センサ情報を取得する車両センサ情報取得部４０と、車両センサ情報取得部４０にて取得した車両センサ情報に基づいて走行状態を算出する走行状態データ算出部３９とを備えている。運転支援装置３０は、現在の走行状態データを含む走行状態の予測要求を、走行状態予測装置２０に送信する。
【００８０】
図１２は、第５の実施の形態の運転支援システム５によって走行状態ＤＢ２６を生成する動作を示すフローチャートである。プローブカーに搭載されたデータ収集装置１０は、プローブカーの現在位置及び速度のデータを取得する（Ｓ５０）。データ収集装置１０は、プローブカーが道路リンクを通過したか否かを判定し（Ｓ５２）、道路リンクを通過したと判定した場合に（Ｓ５２でＹＥＳ）、当該道路リンクを走行したときの走行状態データを生成し、生成された走行状態データを道路リンクのＩＤに関連付けて記憶部１６に記憶する（Ｓ５４）。なお、道路リンクを通過していないと判定された場合（Ｓ５２でＮＯ）、データ収集装置１０は、プローブカーの現在位置及び速度のデータを取得するステップＳ５０に戻る。
【００８１】
データ収集装置１０は、送信タイミングか否かを判定する（Ｓ５６）。送信タイミングは、例えば、１週間または１か月といった所定期間ごとであってもよいし、記憶部１６に所定量のデータが蓄積されたときであってもよい。送信タイミングではないと判定された場合（Ｓ５６でＮＯ）、データ収集装置１０は、プローブカーの現在位置及び速度のデータを取得するステップＳ５０に戻る。
【００８２】
データ収集装置１０は、送信タイミングであると判定された場合（Ｓ５６でＹＥＳ）、道路リンクＩＤに関連付けられた走行状態データを、走行状態予測装置２０に送信する（Ｓ５８）。走行状態予測装置２０は、道路リンクＩＤに関連付けられた走行状態データを受信し、蓄積する（Ｓ６０）。
【００８３】
走行状態予測装置２０は、蓄積された走行状態データを解析する（Ｓ６２）。具体的には、走行状態データ解析部２８は、道路リンク毎に、蓄積された走行状態データをクラスタリングして、複数のグループに分類する。そして、それぞれのグループに含まれる走行状態データの平均を求めて、各グループを代表する走行状態データを生成する。走行状態予測装置２０は、各グループを代表する走行状態データを走行状態ＤＢ２６に記憶する（Ｓ６４）。
【００８４】
図１３は、走行状態予測装置２０が、運転支援装置３０から走行状態予測の要求を受けて走行状態を予測する動作を示すフローチャートである。運転支援装置３０は、現在位置及び速度のデータを取得し（Ｓ７０）、取得した速度データの変化に基づいて、現在の走行状態データを生成する（Ｓ７２）。続いて、運転支援装置３０は、走行状態予測装置２０に、走行状態の予測要求を送信する（Ｓ７４）。この走行状態の予測要求には、ナビゲーション装置３８等に設定された経路のデータと、車両の現在位置のデータ、現在の走行状態データとが含まれている。
【００８５】
走行状態予測装置２０は、運転支援装置３０から送信される走行状態の予測要求を受信すると（Ｓ７６）、当該予測要求に含まれている経路データと現在位置のデータとに基づいて走行予定の道路リンクを特定する（Ｓ７８）。走行状態予測装置２０は、走行状態ＤＢ２６から、走行予定の道路リンクに対応する走行状態データをすべて読み出し（Ｓ８０）、読み出した複数の走行状態データ（代表データ）のうち、現在の走行状態データに最も近い走行状態データを決定する（Ｓ８２）。走行状態予測装置２０は、決定された走行状態データを運転支援装置３０に送信する（Ｓ８４）。
【００８６】
運転支援装置３０は、走行状態予測装置２０から送信された走行状態データを受信し（Ｓ８６）、受信した走行状態データに基づいてアドバイスを生成して、出力する（Ｓ８８）。以上、第５の実施の形態の運転支援システム５について説明した。
【００８７】
第５の実施の形態の運転支援システム５は、第１の実施の形態と同様に、個々の道路リンクにおける走行状態に基づいて適切な運転アドバイスを提供できる。
【００８８】
また、第５の実施の形態では、走行状態予測装置２０は、収集した走行状態データをクラスタリングして、複数のパターンに分類することで、走行状態の予測精度を高めることができる。
【００８９】
以上、本発明の運転支援システム及び走行状態予測装置について、実施の形態を挙げて詳細に説明したが、本発明は上記した実施の形態に限定されるものではない。
【００９０】
上記した実施の形態においては、走行状態データとして、走行速度の変位をリンク内での位置に関連付けて記憶する例について説明したが、道路リンクの走行状態データは、例えば、道路リンク内における加速回数、減速回数、停止回数等のデータを記憶することとしてもよい。
【産業上の利用可能性】
【００９１】
本発明は、プローブカーにて収集した実際の走行状態データを利用することで、走行予定の道路リンクの走行状態を適切に予測することができるという効果を有し、運転支援システム等に適用することができる。
【符号の説明】
【００９２】
１，５  運転支援システム
１０  データ収集装置
１１  車両センサ情報取得部
１２  走行状態データ算出部
１３  現在位置検出部
１４  通信部
１５  地図ＤＢ
１６  記憶部
１７  車両センサ
２０  走行状態予測装置
２１  プローブデータ受信部
２２  要求データ受信部
２３  走行状態データ送信部
２４  走行状態データ更新部
２５  走行状態データ読出部
２６  走行状態ＤＢ
２７  地図ＤＢ
２８  走行状態データ解析部
３０  運転支援装置
３１  通信部
３２  走行状態予測要求部
３３  現在位置検出部
３４  アドバイス生成部
３５  アドバイス出力部
３６  経路データ記憶部
３７  地図ＤＢ
３８  ナビゲーション装置
３９  走行状態データ算出部
４０  車両センサ情報取得部
４１  車両センサ
５０  ＣＰＵ
５１  メモリ
５２  ＲＯＭ
５３  プログラム
５４  外部記憶装置
５５  キーパッド
５６  タッチパネル
５７  通信部
５８  バス
【図１】
2014130439.tif 000003
【図２】
2014130439.tif 000004
【図３】
2014130439.tif 000005
【図４】
2014130439.tif 000006
【図５】
2014130439.tif 000007
【図６】
2014130439.tif 000008
【図７】
2014130439.tif 000009
【図８】
2014130439.tif 000010
【図９】
2014130439.tif 000011
【図１０】
2014130439.tif 000012
【図１１】
2014130439.tif 000013
【図１２】
2014130439.tif 000014
【図１３】
2014130439.tif 000015